(57)【要約】【課題】一対の管体を回り止め状態で接続でき、シール部材の摩耗を防止でき且つ汎用性を高めるコネクタを提供する。【解決手段】このコネクタ１０は、外周に環状突部２が形成された第１管体１と第２管体５とを接続するもので、一端が第２管体５を接続するための接続部２１をなすと共に、他端内周が第１管体１の挿入部２１をなし、他端外周が、角部を有する形状をなす管状のハウジング２０と、ハウジング２０の他端内周に配置され、第１管体１が挿通され第１管体外周とハウジング内周とをシールするシール部材３０と、第１管体１の環状突部２に係合して、第１管体１を抜け止め保持するリテーナ４０と、ハウジング２０の他端外周に嵌合し回り止めされて着脱可能に装着される回り止め部材５０とを有し、回り止め部材５０は、第１管体１の外周又は突起に係合する回り止め部６５を有する。【選択図】図１
2014234849.tif 000002
【特許請求の範囲】
【請求項１】
外周に環状突部が形成された第１管体と、第２管体とを接続するためのコネクタであって、
一端が前記第２管体を接続するための接続部をなすと共に、他端内周が前記第１管体の挿入部をなし、他端外周が、角部を有する形状をなす管状のハウジングと、
前記ハウジングの他端内周に配置され、前記第１管体が挿通されて同第１管体の外周と前記ハウジングの内周とをシールするシール部材と、
前記ハウジングに一体又は別体で設けられ、前記第１管体の環状突部に係合して、同第１管体を抜け止め保持するリテーナと、
前記ハウジングの他端外周に嵌合し、回り止めされて着脱可能に装着される回り止め部材とを有し、
前記回り止め部材は、前記第１管体の外周又は前記第１管体の周囲に設けられた突起に係合する回り止め部を有することを特徴とするコネクタ。
【請求項２】
前記ハウジングの他端外周は、正多角形状をなしている請求項１記載のコネクタ。
【請求項３】
前記ハウジングの他端外周からフランジ部が形成され、その外周が多角形状をなしており、
前記回り止め部材の前記ハウジング側に、前記フランジ部が嵌合する嵌合凹部が形成されると共に、前記フランジ部を抜け止め保持する係止爪が形成されている請求項１又は２記載のコネクタ。
【発明の詳細な説明】
【技術分野】
【０００１】
本発明は、例えば、ホースやチューブ、配管等の管体どうしを接続するための、コネクタに関する。
【背景技術】
【０００２】
例えば、自動車のブレーキ系統や、ラジエータ等の燃料供給系統には、複数のホースやチューブ等が配管されている。これらのホースやチューブ等の管体どうしを接続するために、コネクタが用いられている。
【０００３】
従来のこの種のコネクタとしては、一方の管体を接続した雌部材と、該雌部材内に挿入され、他方の管体を接続した雄部材と、雄部材の先端外周と雌部材内周との隙間をシールするシール部材と、雌部材と雄部材とを連結するリテーナとを備えるものが知られている。また、雄部材と雌部材とが相対的に回転すると、シール部材が摩耗してシール性が低下する恐れがあるので、両部材を回り止めする構造を設けたものが用いられている。
【０００４】
このような回り止め機構を有するものとして、下記特許文献１には、雄側部材と雌側部材とを係止固定するパイプ部材の接続構造であって、雄側部材は、外周に係止用突起部を設けた雄側パイプを有し、雌側部材は、雄側パイプと嵌合する筒状のコネクタ本体と、前記係止用突起部に前記コネクタ本体を係止するリテーナ部材とを備えた接続構造が記載されている。
【０００５】
前記雄側部材の所定箇所には、雄側パイプの軸方向に沿って板部が一体的に突設され、該板部には嵌合孔部が形成されており、一方、雌側部材のコネクタ本体の外周からは、外径方向に板部が突設され、該板部には、貫通孔が形成され、その内面に前記嵌合孔部に嵌合する凸部が突設されている。
【０００６】
そして、コネクタ本体内に雄側パイプを挿入し、リテーナ部材によって、コネクタ本体と雄側パイプを係止すると共に、コネクタ本体の板部の貫通孔内に、雄側パイプの板部を挿入し、凸部を嵌合孔部に嵌合させることにより、コネクタ本体と雄側パイプが回り止めされると共に軸方向移動が規制され、雄側部材と雌側部材とが接続される。
【先行技術文献】
【特許文献】
【０００７】
【特許文献１】特開２００６−１０５２０１号公報
【発明の概要】
【発明が解決しようとする課題】
【０００８】
上記特許文献１の接続構造においては、雄側部材に、嵌合孔部を設けた板部が形成され、雌側部材にも、貫通孔及び凸部を有する板部が形成されており、雄側部材及び雌側部材の両方に、回り止め用の構造が必要であった。この場合、一方の部材の寸法や形状等が変更されると、他方の部材もそれに合わせて、寸法や形状等を変更する必要があり、汎用性に乏しいという問題があった。
【０００９】
したがって、本発明の目的は、一対の管体を回り止め状態で接続して、シール部材の摩耗を防止できると共に、回り止め構造を簡素化して汎用性を高めることができる、コネクタを提供することにある。
【課題を解決するための手段】
【００１０】
上記目的を達成するため、本発明は、外周に環状突部が形成された第１管体と、第２管体とを接続するためのコネクタであって、一端が前記第２管体を接続するための接続部をなすと共に、他端内周が前記第１管体の挿入部をなし、他端外周が、角部を有する形状をなす管状のハウジングと、前記ハウジングの他端内周に配置され、前記第１管体が挿通されて同第１管体の外周と前記ハウジングの内周とをシールするシール部材と、前記ハウジングに一体又は別体で設けられ、前記第１管体の環状突部に係合して、同第１管体を抜け止め保持するリテーナと、前記ハウジングの他端外周に嵌合し、回り止めされて着脱可能に装着される回り止め部材とを有し、前記回り止め部材は、前記第１管体の外周又は前記第１管体の周囲に設けられた突起に係合する回り止め部を有することを特徴とする。
【００１１】
本発明のコネクタにおいては、前記ハウジングの他端外周は、正多角形状をなしていることが好ましい。
【００１２】
本発明のコネクタにおいては、前記ハウジングの他端外周からフランジ部が形成され、その外周が多角形状をなしており、前記回り止め部材の前記ハウジング側に、前記フランジ部が嵌合する嵌合凹部が形成されると共に、前記フランジ部を抜け止め保持する係止爪が形成されていることが好ましい。
【発明の効果】
【００１３】
本発明によれば、第２管体を一端に接続したハウジングの他端外周に、回り止め部材を嵌合させて回り止めして装着し、ハウジングの他端内周に第１管体を挿入して、シール部材に挿通させ、その環状突部をリテーナに係合させ、回り止め部材の回り止め部を第１管体外周又は突起に係合させることで、回り止め部材を介して、第１管体と、ハウジングに接続された第２管体とを回り止めした状態で接続することができる。
【００１４】
したがって、第１管体や第２管体に回転力が作用しても、回り止め部材によって、一方の管体が他方の管体に対して回転することを防止することができ、ハウジング内のシール部材が、第１管体やハウジングの回転により、摩耗することを確実に防止することができる。
【００１５】
また、ハウジングの他端外周が、角部を有する形状をなしているので、ハウジングの角部が回り止め部材の対応箇所に係合して、ハウジングと回り止め部材との回り止めが確実になされる。
【００１６】
更に、ハウジングに対して回り止め部材が着脱可能に装着されるので、第１管体の形状や構造等が変わっても、回り止め部材の回り止め部の形状や構造等を適宜変えることで対応できるので、ハウジングを共用化することができ、ハウジングの汎用性が高められる。
【図面の簡単な説明】
【００１７】
【図１】本発明に係るコネクタの、一実施形態を示す分解斜視図である。
【図２】同コネクタの斜視図である。
【図３】同コネクタを構成する回り止め部材の平面図である。
【図４】同コネクタの断面図である。
【図５】同コネクタを用いて、第１管体１と第２管体とを接続した状態を示しており、図２のＡ−Ａ矢示線における断面図である。
【図６】本発明に係るコネクタの、他の実施形態を示す分解斜視図である。
【図７】同コネクタの斜視図である。
【発明を実施するための形態】
【００１８】
以下、図１〜５を参照して、本発明のコネクタの一実施形態について説明する。
【００１９】
図１及び図５に示すように、この実施形態におけるコネクタ１０は、外周に環状突部２が形成された第１管体１と、第２管体５（図５参照）とを接続するためのもので、略筒状のハウジング２０と、環状のシール部材３０と、ハウジング２０に対して第１管体１を抜け止め保持するリテーナ４０と、ハウジング２０に回り止めされた状態で装着される回り止め部材５０とを備えている。
【００２０】
なお、管体としては、例えば、自動車のブレーキ系統や、ラジエータ等の燃料供給系等において用いられるホースや、チューブ、パイプ等が挙げられるが、これ以外の管体でもよい。また、この実施形態では、前記第１管体１の軸方向途中から、分岐管３が延設されており、この分岐管３が回り止め部材５０の係合部として利用されるようになっている。なお、第１管体１の所定位置に突起を設けて、これを回り止め部材５０の係合部としてもよく、第１管体１の周囲に配置された、他の部材（ラジエータ等）に突起を設けて、これを回り止め部材５０の係合部としてもよい。更に、第１管体１が例えばＬ字状に屈曲している場合には、その屈曲部を回り止め部材５０の係合部としてもよい。
【００２１】
図１に示すように、ハウジング２０は、他端部に対して一端部がエルボ状に屈曲した管状となっており、その一端が前記第２管体５を接続するための接続部２１をなし、他端内周が、前記第１管体１の先端部が挿入される挿入部２２をなしている。なお、ハウジング２０は直管状等であってもよく、特に限定はされない。
【００２２】
また、図４及び図５に示すように、ハウジング２０の内部は、他端開口側から段階的に縮径した形状をなしており、その奥方には、前記シール部材３０が配置されるシール部材配置部２３が設けられている。更に、ハウジング２０の他端側外周には、対向して配置された、挿入部２２に連通する一対の第１開口部２４，２４と、これらと直交する位置に対向して配置された、挿入部２２に連通する一対の第２開口部２５，２５とが設けられている。
【００２３】
そして、ハウジング２０の他端外周から、フランジ部２７が、ハウジング２０の外径方向に向けて形成されており、その外周が、角部を有する形状をなしている。この実施形態のフランジ部２７は、６つの辺２７ａ及び６つの角部を有する略六角形状をなしているが、隣接する一対の辺２７ａ，２７ａの間から、ハウジング２０の外径方向に向けて、長板状をなした位置決めリブ２８が突設された形状をなしている（図１及び図２参照）。
【００２４】
上記フランジ部２７の外周形状としては、４〜１５角の多角形形状であることが好ましく、６〜１２角の多角形形状であることがより好ましい。ただし、フランジ部２７の外周形状としては、上記の多角形形状のほか、例えば、円形状の対向位置を平行にカットした樽型形状、円形状の周方向一部を切欠いた形状、周方向に沿って山形状の突起を複数設けた略スプライン形状なども採用することができ、フランジ部２７の外周に角部を有する形状であればよい。
【００２５】
一方、リテーナ４０は、第１管体１が挿通される環状部４１と、該環状部４１の周方向に対向する箇所から撓み可能に延設された一対の第１係合片４２，４２と、前記環状部４１の周方向の、一対の第１係合片４２，４２に直交する位置から、撓み可能に延設された一対の第２係合片４３，４３とを有している。
【００２６】
各第１係合片４２及び第２係合片４３は、その先端部が外径方向に突出した形状をなしており、これらがハウジング２０の第１開口部２４又は第２開口部２５の内周に係合して、ハウジング２０に対してリテーナ４０が装着されるようになっている。
【００２７】
また、各係合片４２，４３の先端部の内側には、第１管体１の環状突部２が係合する係合凹部４２ａ，４３ａがそれぞれ設けられている。また、各係合片４２，４３の先端外周面は、先端に向けて縮径するテーパ壁４２ｂ，４３ｂが形成されている。更に、前記一対の第１係合片４２，４２の先端部からは、環状部４１側に向けて外方にツマミ片４２ｃ，４２ｃが延設されている（図４参照）。
【００２８】
そして、第１管体１をハウジング２０の挿入部２２に挿入すると、第１管体１の環状突部２が、各係合片４２，４３の係合凹部４２ａ、４３ａに係合する。その状態で、第１管体１に対して引き抜き力が作用すると、リテーナ４０が引っ張られて、各係合片４２，４３の先端外周のテーパ壁４２ｂ，４３ｂが、第１開口部２４又は第２開口部２５の開口縁部に当接して更に縮径しようとするため、第１管体１の環状突部２がより強く係合凹部４２ａ，４３ａに係合し、第１管体１の引き抜きが阻止される。
【００２９】
一方、第１管体１を引き抜きたいときには、一対の第１係合片４２，４２のツマミ片４２ｃ，４２ｃを指で押さえて、リテーナ４０が引き抜き方向に移動するのを阻止しながら第１管体１を強く引っ張ると、各係合片４２，４３の先端外周のテーパ壁４２ｂ，４３ｂが、第１開口部２４又は第２開口部２５の開口縁部に当接しないので、各係合片４２，４３が外方に広がることが許容され、係合凹部４２ａ，４３ａから環状突部２が外れて、第１管体１を引き抜くことができる。
【００３０】
このようなコネクタの係合構造については、例えば特開２００２―２１３６７１号公報等に開示されているので、その詳しい説明は省略することにする。ただし、本願発明は、上記実施形態の係合構造に限定されるものではなく、各種の係合構造を採用することができる。例えば、この実施形態では、ハウジング２０に対して、別体のリテーナ４０が装着されるようになっているが、ハウジング２０に対してリテーナを一体的に設けてもよい。
【００３１】
一方、ハウジング２０の他端外周に嵌合し、回り止めされて着脱可能に装着される回り止め部材５０は、中央に管挿通孔５３が形成された、所定厚さの円盤状の本体５１を有している。
【００３２】
この本体５１の、前記ハウジング２０側の面には、前記フランジ部２７が嵌合する、嵌合凹部５５が所定深さで形成されている。この実施形態における嵌合凹部５５は、前記ハウジング２０のフランジ部２７及び位置決めリブ２８に対応して、複数の辺５５ａを有する略六角形状をなすと共に、隣接した一対の辺５５ａ，５５ａの間に長方形の凹状をなした位置決め凹部５７が形成された形状をなしている。
【００３３】
そして、図１に示すように、回り止め部材５０の位置決め凹部５７に、ハウジング２０の位置決めリブ２８を整合させて、回り止め部材５０の軸方向に沿ってハウジング２０のフランジ部２７を押し込むことで、位置決め凹部５７に位置決めリブ２８が嵌合して位置決めされると共に、フランジ部２７の各辺２７ａが嵌合凹部５５の各辺５５ａにそれぞれ係合して、嵌合凹部５５にフランジ部２７が嵌合し、ハウジング２０に対して回り止め部材５０が回り止めされた状態で装着されるようになっている（図２参照）。
【００３４】
上記嵌合凹部５５の内周形状としては、前記フランジ部２７が嵌合するように、フランジ部２７の角部に対応した凹部を有する形状であればよく、４〜１５角の多角形形状であることが好ましく、６〜１２角の多角形形状であることがより好ましい。また、前記フランジ部２７の形状に対応して、嵌合凹部５５の内周形状を、円形状の対向位置を平行にカットした樽型形状、円形状の周方向一部を切欠いた形状、周方向に沿って山形状の凹部を複数設けた略スプライン形状などとすることもできる。
【００３５】
また、前記本体５１の外周の対向する箇所であって、前記位置決め凹部５７に対して直交する位置には、前記ハウジング２０のフランジ部２７を抜け止め保持する、一対の係止爪６０，６０が設けられている。
【００３６】
各係止爪６０は、本体外周及び内周に設けられた切欠き５８，５９を介して、前記嵌合凹部５５の辺５５ａに沿って撓み可能に突出すると共に、その先端が本体５１の内径方向に向けて突出して、前記ハウジング２０のフランジ部２７の一側面周縁に係合する爪部６２をなしている。また、爪部６２の内面にはテーパ面６２ａが形成されている。
【００３７】
更に図１〜３に示すように、本体５１の位置決め凹部５７側の端面であって、前記係止爪６０の周方向両側には、本体５１の外周縁に沿って円弧状をなした、一対の保護壁６３，６３が突設されている。これらの保護壁６３，６３は、外力等から係止爪６０を保護し、同係止爪６０をハウジング２０のフランジ部２７から外れにくくさせる。
【００３８】
なお、この実施形態の保護壁６３は、本体５１の一端面の外周縁に沿って突設され、嵌合凹部５５の辺５５ａとの間に、段部が設けられているが（図３のハッチングＨで示す部分）、この部分を肉盛りして、保護壁６３の内面を、嵌合凹部５５の辺５５ａと面一に形成してもよい。
【００３９】
また、前記本体５１の、前記嵌合凹部５５とは反対側の端面の所定位置からは、第１管体１の外周又は第１管体に形成された突起に嵌合する、回り止め部６５が設けられている。
【００４０】
図１、図２及び図４に示すように、この実施形態における回り止め部６５は、本体５１の周方向に沿った所定幅で、かつ、本体５１の軸方向に沿って所定長さで延設された、長板状をなしている。この回り止め部６５の先端には、両側面が互いに平行で、かつ、その奥方の内面が円弧状をなした、切欠き状の凹部６６が形成されている（図１及び図４参照）。そして、図２及び図５に示すように、回り止め部６５の凹部６６が、第１管体１の分岐管３に係合することで、第１管体１に対して回り止め部材５０が回り止めされ、それによって、嵌合凹部５５にフランジ部２７が嵌合したハウジング２０も回り止めされるようになっている。
【００４１】
なお、回り止め部６５の構造としては、例えば、本体５１に直接凹部や切欠きを設けて、これを第１管体１の外周や突起に係合させたり、或いは、本体５１から凸状やボス状、フランジ状の回り止め部を設けて、これに凹部や切欠きを設けて、第１管体１の外周や突起に係合させたりしてもよく、前記第１管体１の外周や突起の形状等に応じて、適宜設定することができる。
【００４２】
次に、上記構成からなるコネクタ１０の使用方法の一例について説明する。
【００４３】
まず、ハウジング２０の他端開口からシール部材３０を挿入して、シール部材配置部２３に配置した後、リテーナ４０を挿入し、各第１係合片４２のツマミ片４２ｃを各第１開口部２４から挿出させると共に、各第１係合片４２の先端部を各第１開口部２４に係合させ、かつ、各第２係合片４３の先端部を各第２開口部２５に係合させることで、ハウジング２０に対してリテーナ４０が抜け止め状態で装着される（図４参照）。
【００４４】
次いで、図１に示すように、回り止め部材５０の位置決め凹部５７に、ハウジング２０の位置決めリブ２８を整合させて、回り止め部材５０の軸方向に沿ってハウジング２０のフランジ部２７を押し込む。すると、ハウジング２０のフランジ部２７が、爪部６２のテーパ面６２ａを押圧して、一対の係止爪６０，６０が外方に撓んでいく。
【００４５】
そして、位置決め凹部５７に位置決めリブ２８が嵌合すると、回り止め部材５０に対してハウジング２０が位置決めされ、その状態で、フランジ部２７の複数の角部が、嵌合凹部５５の対応する隅部に係合し、かつ、フランジ部２７の複数の各辺２７ａが、嵌合凹部５５の対応する各辺５５ａにそれぞれ係合することで、嵌合凹部５５にフランジ部２７が嵌合して、ハウジング２０に対して回り止め部材５０が回り止めされる。更に、一対の係止爪６０，６０が弾性復帰して、各爪部６２がフランジ部２７の一側面周縁に係合することで、ハウジング２０に対して回り止め部材５０を回り止めすると共に抜け止めした状態で装着することができる（図２及び図４参照）。
【００４６】
このように、この実施形態によれば、ハウジング２０のフランジ部２７を、回り止め部材５０の嵌合凹部５５に押し込むだけの簡単な作業で、フランジ部２７が嵌合凹部５５に嵌合すると共に、同フランジ部２７が係止爪６０によって抜け止め保持されるので、ハウジング２０と回り止め部材５０との組付け作業性を向上させることができる。また、ハウジング２０の他端外周に、外周が多角形状のフランジ部２７を設ければよいので、ハウジング２０の構造を比較的簡単なものとすることができ、製造コストの低下を図ることができる。
【００４７】
そして、第１管体１と第２管体５との接続に際しては、第１管体１の分岐管３に、回り止め部材５０の回り止め部６５の凹部６６を整合させて、第１管体１に対して、回り止め部材５０が装着されたハウジング２０を押し込んでいくと、ハウジング２０の挿入部２２内に第１管体１の先端部が挿入され、その環状突部２が、リテーナ４０の各第１係合片４２の係合凹部４２ａ及び各第２係合片４３の係合凹部４３ａにそれぞれ係合する。このとき同時に、回り止め部材５０の、回り止め部６５の凹部６６を、第１管体１の分岐管３の外周に係合させることができる。その結果、第１管体１に対して回り止め部材５０を回り止めした状態で接続できると共に、同回り止め部材５０を介して、第１管体１と、ハウジング２０に接続された第２管体５とを、回り止めした状態で接続することができる（図２及び図５参照）。また、第１管体１の先端部が、シール部材３０の内周に挿通されて、第１管体１の先端部外周とハウジング２０の挿入部２２の内周とがシール部材３０によりシールされる。
【００４８】
したがって、第１管体１や第２管体５に回転力が作用しても、回り止め部材５０によって、第１管体１と第２管体５とが相対的に回転することを防止することができるので、ハウジング２０の、シール部材配置部２３に配置されたシール部材３０が、第１管体１やハウジング２０等の回転によって、摩耗することを確実に防止することができる。
【００４９】
このとき、ハウジング２０の他端外周には、略六角形状をなしたフランジ部２７が設けられているので、複数の各辺２７ａが、回り止め部材５０の嵌合凹部５５の複数の各辺５５ａにそれぞれ係合して、ハウジング２０と回り止め部材５０との回り止めがより確実になされる。
【００５０】
ところで、メンテナンス等の理由により、第１管体１と第２管体５との接続を解除したい場合には、リテーナ４０の一対の第１係合片４２，４２のツマミ片４２ｃ，４２ｃを指で押さえて、リテーナ４０が引き抜き方向に移動するのを阻止しながら、第１管体１を強く引っ張ると、各係合片４２，４３の先端外周のテーパ壁４２ｂ，４３ｂが、第１開口部２４又は第２開口部２５の開口縁部に当接しないので、各係合片４２，４３が外方に広がることが許容され、係合凹部４２ａ，４３ａから環状突部２が外れて、第１管体１を引き抜くことができる。
【００５１】
また、ハウジング２０から回り止め部材５０を取外したい場合には、回り止め部材５０に対してハウジング２０を強く引張る。すると、フランジ部２７によって、爪部６２を介して一対の係止爪６０，６０が外方に向けて押し広げられて、嵌合凹部５５からフランジ部２７が抜け外れて、ハウジング２０から回り止め部材５０を取外すことができる。
【００５２】
このように、このコネクタ１０においては、ハウジング２０に対して回り止め部材５０が着脱可能に装着されるようになっているので、第１管体１の形状や構造等が変わっても、回り止め部材５０の回り止め部の形状や構造等を適宜変えることで対応でき、その結果、ハウジング２０を共用化することができ、ハウジング２０の汎用性を高めることができる。
【００５３】
図６及び図７には、本発明のコネクタの、他の実施形態が示されている。なお、前記実施形態と実質的に同一部分には同符号を付してその説明を省略する。
【００５４】
この実施形態のコネクタ１０ａは、ハウジング２０ａのフランジ部２７が、６つの辺２７ａからなる正六角形状をなしており、これに対応して、回り止め部材５０ａの嵌合凹部５５も、６つの辺５５ａからなる正六角形状をなしている。これらのフランジ部２７及び嵌合凹部５５の正多角形状は、正六角形状に限定されるものではなく、６〜１２角の正多角形状であることが好ましい。
【００５５】
そして、この実施形態においては、ハウジング２０の他端外周、すなわち、フランジ部２７の外周が正多角形状（ここでは正六角形）をなしているので、ハウジング２０ａに対する回り止め部材５０ａの組付け角度を、正多角形の中心角（隣接する角部と中心とを結ぶ角度、例えば、正六角形形状の場合は６０°）に応じた角度で変更することができ、第１管体１やその付属物の形状に応じて、第１管体１に対するコネクタ１０ａの取付角度を変更することができ、回り止め部材５０ａの汎用性を高めることができる。
【符号の説明】
【００５６】
１  第１管体
２  環状突部
５  第２管体
１０，１０ａ  コネクタ
２０，２０ａ  ハウジング
２１  接続部
２２  挿入部
２７  フランジ部
３０  シール部材
４０  リテーナ
５０，５０ａ  回り止め部材
５５  嵌合凹部
６０  係止爪
【図１】
2014234849.tif 000003
【図２】
2014234849.tif 000004
【図３】
2014234849.tif 000005
【図４】
2014234849.tif 000006
【図５】
2014234849.tif 000007
【図６】
2014234849.tif 000008
【図７】
2014234849.tif 000009